(57)【要約】  【課題】  懐中電灯の代わりにも使用できるリモートコントローラを提供する。  【解決手段】  リモートコントローラＡを懐中電灯の代りに利用する場合は、キースイッチ群２の何れかのキースイッチを押下すると、キーマトリクス回路３は、押下されているキースイッチに対応するキー信号を出力し、これによりタイマ１１は計時動作を行う。懐中電灯の代りに利用する場合は、キースイッチを押し続けるので、キースイッチを押し続けることにより、タイマ１１による計時時間が所定時間経過すると、タイマ１１からは連続発光駆動信号が出力される。これにより、昇圧電圧供給回路１８は、昇圧回路４を駆動させると共に昇圧回路４からの昇圧された電圧を白色光ＬＥＤ２０に印加し、また、この時、タイマ１１からの連続発光駆動信号は駆動回路１９に与えられ、駆動回路１９が動作する。したがって、白色光ＬＥＤ２０が駆動して通常よりも明るく連続して発光する。【選択図】      図１
2006319840.tif 000002
【特許請求の範囲】
【請求項１】
電池により動作し、複数のキースイッチのうち押下されたキースイッチに対応したキー
信号を出力するキーマトリクス回路と、前記キー信号に対応して操作信号を生成する操作
信号生成回路と、前記操作信号に従って発光素子を駆動させる駆動回路とを備え、操作対
象の電気機器を前記発光素子からの光信号により遠隔操作するリモートコントローラにお
いて、白色光を発光する白色光発光素子と、前記白色光発光素子の明るさを通常時よりも
上げるため前記電池の電圧を昇圧する昇圧回路と、前記複数のキースイッチの何れかが押
下され、押下された当該キースイッチに対応する前記キーマトリクス回路からの当該キー
信号を入力し、当該キー信号が入力されている時間を計時することによって、当該キース
イッチが押下されている間の時間を計時し、計時時間が所定時間経過した時に連続発光駆
動信号を出力するタイマと、前記操作信号生成回路からの操作信号または前記タイマから
の連続発光駆動信号を入力して前記駆動回路に与えると共に、前記連続発光駆動信号が入
力されているときは前記操作信号よりも優先的に前記連続発光駆動信号を前記駆動回路に
与える論理和回路と、前記タイマから出力された連続発光駆動信号により前記昇圧回路を
駆動させて前記昇圧回路からの昇圧された電圧を前記白色光発光素子に供給する昇圧電圧
供給回路とを備え、前記複数のキースイッチの何れかが所定時間以上押下されたときに前
記白色光発光素子から発光される白色光の明るさを、通常の操作時の明るさよりも、明る
くし、前記所定時間以上押下されている間は、前記白色光発光素子から白色光を発光し続
けるように構成したことを特徴とするリモートコントローラ。
【請求項２】
電池により動作し、複数のキースイッチのうち押下されたキースイッチに対応したキー
信号を出力するキーマトリクス回路と、前記キー信号に対応して操作信号を生成する操作
信号生成回路と、前記操作信号に従って発光素子を駆動させる駆動回路とを備え、操作対
象の電気機器を前記発光素子からの光信号により遠隔操作するリモートコントローラにお
いて、前記発光素子として白色光を発光する白色光発光素子を用い、前記複数のキースイ
ッチの何れかが所定時間以上押下されたときに前記白色光発光素子から出射される白色光
の明るさを、通常の操作時の明るさよりも、明るくし、前記所定時間以上押下されている
間は、前記白色光発光素子から白色光を発光し続けるように構成したことを特徴とするリ
モートコントローラ。
【請求項３】
前記白色光発光素子の明るさを通常時よりも上げるため前記電池の電圧を昇圧する昇圧
回路と、前記複数のキースイッチの何れかが押下され、押下された時間が所定時間経過し
た時に連続発光駆動信号を出力する連続発光駆動信号出力手段と、前記連続発光駆動信号
が出力されているときは前記連続発光駆動信号により前記駆動回路を駆動させると共に前
記昇圧回路を駆動させて前記昇圧回路からの昇圧された電圧を前記白色光発光素子に供給
する昇圧電圧供給回路とを備えたことを特徴とする請求項２に記載のリモートコントロー
ラ。
【請求項４】
前記連続発光駆動信号出力手段は、前記複数のキースイッチの何れかが押下され、押下
された当該キースイッチに対応する前記キーマトリクス回路からの当該キー信号を入力し
、当該キー信号が入力されている時間を計時することによって、当該キースイッチが押下
されている間の時間を計時し、計時時間が所定時間経過した時に連続発光駆動信号を出力
するタイマで構成したことを特徴とする請求項３に記載のリモートコントローラ。
【請求項５】
前記操作信号生成回路からの操作信号または連続発光駆動信号出力手段からの連続発光
駆動信号を入力して前記駆動回路に与えると共に、前記連続発光駆動信号が入力されてい
るときは前記操作信号よりも優先的に前記連続発光駆動信号を前記駆動回路に与える信号
切換手段を備えたことを特徴とする請求項３に記載のリモートコントローラ。
【請求項６】
前記信号切換手段は、前記操作信号生成回路からの操作信号と前記連続発光駆動信号出
力手段からの連続発光駆動信号との論理和をとる論理和回路で構成したことを特徴とする
請求項５に記載のリモートコントローラ。
【発明の詳細な説明】
【技術分野】
【０００１】
本発明は、操作対象の電気機器を発光素子からの光信号により遠隔操作するリモートコ
ントローラに関する。
【背景技術】
【０００２】
近年、青色光ＬＥＤの開発によって白色光ＬＥＤが実現した。白色光ＬＥＤは、従来の
白熱電球や蛍光灯などと比べて格段に消費電力が少なく、また、小型で長寿命であるとい
う特徴を有しているので、照明光源として利用することが考えれらている。更に、白色光
ＬＥＤは、入力される電圧に対して応答速度が速いという特徴を有しているので、点滅あ
るいは光量を電気的に制御することによって信号伝送手段として利用することも考えられ
ている。
【０００３】
白色光ＬＥＤを信号伝送手段として用いた例として、電気機器を操作するリモートコン
トローラ（リモコン）が知られている（例えば特許文献１参照）。このリモートコントロ
ーラは、信号伝送手段として、従来の赤外光を発光する赤外光ＬＥＤの代わりに白色光Ｌ
ＥＤを用いている。赤外光ＬＥＤの代わりに白色光ＬＥＤを用いた場合の利点は、赤外光
の場合は人の目では見えないが、白色光は可視光線であるので、見ることができ、リモー
トコントローラから光が出射される様子を確認でき、ユーザにとっては使い勝手が良くな
る。
【特許文献１】特開２００４−２４８１２８号公報
【特許文献２】特開２００４−１４７０６３号公報
【発明の開示】
【発明が解決しようとする課題】
【０００４】
ところで、台風や地震あるいは雷などの自然災害などによって停電になった場合、特に
夜間に停電になった場合に、安全に避難するために照明が必要となり、手元に懐中電灯が
あれば、その懐中電灯を点ければ問題がないが、通常、一般家庭では、懐中電灯を備えて
いない場合が多く、また、懐中電灯を備えていても、直ぐに取りに行ける場所に置いてあ
るとは限らないので、停電に早く対処することができない。
【０００５】
そこで、電気機器を操作するリモートコントローラであれば、殆ど毎日使っているので
、リモートコントローラが手元にある場合が多く、このリモートコントローラを懐中電灯
の代わりにも使用したいと言う要望があるが、例えば特許文献１に開示されているリモー
トコントローラでは、単に白色光の信号により送信するだけで、懐中電灯としては使用で
きないという課題がある。
【０００６】
なお、特許文献２の従来技術は、放送システムにおいて照明のためのＬＥＤ光源の光量
の変化あるいは点滅によって情報を送信するものであり、電気機器を操作するリモートコ
ントローラに関するものではない。
【０００７】
本発明は、上記のような課題を解決するためになされたもので、懐中電灯の代わりにも
使用できるリモートコントローラを提供することを目的とする。
【課題を解決するための手段】
【０００８】
上記目的を達成するために、請求項１の発明は、電池により動作し、複数のキースイッ
チのうち押下されたキースイッチに対応したキー信号を出力するキーマトリクス回路と、
前記キー信号に対応して操作信号を生成する操作信号生成回路と、前記操作信号に従って
発光素子を駆動させる駆動回路とを備え、操作対象の電気機器を前記発光素子からの光信
号により遠隔操作するリモートコントローラにおいて、白色光を発光する白色光発光素子
と、前記白色光発光素子の明るさを通常時よりも上げるため前記電池の電圧を昇圧する昇
圧回路と、前記複数のキースイッチの何れかが押下され、押下された当該キースイッチに
対応する前記キーマトリクス回路からの当該キー信号を入力し、当該キー信号が入力され
ている時間を計時することによって、当該キースイッチが押下されている間の時間を計時
し、計時時間が所定時間経過した時に連続発光駆動信号を出力するタイマと、前記操作信
号生成回路からの操作信号または前記タイマからの連続発光駆動信号を入力して前記駆動
回路に与えると共に、前記連続発光駆動信号が入力されているときは前記操作信号よりも
優先的に前記連続発光駆動信号を前記駆動回路に与える論理和回路と、前記タイマから出
力された連続発光駆動信号により前記昇圧回路を駆動させて前記昇圧回路からの昇圧され
た電圧を前記白色光発光素子に供給する昇圧電圧供給回路とを備え、前記複数のキースイ
ッチの何れかが所定時間以上押下されたときに前記白色光発光素子から発光される白色光
の明るさを、通常の操作時の明るさよりも、明るくし、前記所定時間以上押下されている
間は、前記白色光発光素子から白色光を発光し続けるように構成したことを特徴とするリ
モートコントローラを提供する。
【０００９】
この構成において、このリモートコントローラを懐中電灯の代りに利用する場合は、何
れかのキースイッチを押下すると、キーマトリクス回路は、押下されているキースイッチ
に対応するキー信号を出力し、これに応答してタイマは計時動作を行う。このリモートコ
ントローラを懐中電灯の代りに利用する場合は、当該キースイッチを押し続けるので、当
該キースイッチを押し続けることにより、タイマによる計時時間が所定時間経過すると、
タイマからは連続発光駆動信号が出力される。これにより、昇圧電圧供給回路は、昇圧回
路を駆動させると共に、昇圧回路からの昇圧された電圧を白色光発光素子に印加し、また
、この時、タイマからの連続発光駆動信号は、論理和回路を介して駆動回路に与えられる
ことにより、駆動回路が動作する。したがって、白色光発光素子が駆動して、通常よりも
明るく連続して発光し、このリモートコントローラを懐中電灯の代りに利用することがで
きる。
【００１０】
この構成によれば、リモートコントローラの発光素子として白色光発光素子を用いたの
で、リモートコントローラから光が出射される様子を確認でき、ユーザにとっては使い勝
手が良くなる。また、キースイッチを所定時間以上押し続けることにより、白色光発光素
子が通常よりも明るく連続して発光するので、このリモートコントローラを懐中電灯の代
りに利用することができ、したがって、自然災害などで停電しても、安全に避難でき、ま
たは、懐中電灯があれば、懐中電灯が置かれている場所まで安全に移動でき、懐中電灯を
使用して避難できる。
【００１１】
請求項２の発明は、電池により動作し、複数のキースイッチのうち押下されたキースイ
ッチに対応したキー信号を出力するキーマトリクス回路と、前記キー信号に対応して操作
信号を生成する操作信号生成回路と、前記操作信号に従って発光素子を駆動させる駆動回
路とを備え、操作対象の電気機器を前記発光素子からの光信号により遠隔操作するリモー
トコントローラにおいて、前記発光素子として白色光を発光する白色光発光素子を用い、
前記複数のキースイッチの何れかが所定時間以上押下されたときに前記白色光発光素子か
ら出射される白色光の明るさを、通常の操作時の明るさよりも、明るくし、前記所定時間
以上押下されている間は、前記白色光発光素子から白色光を発光し続けるように構成した
ことを特徴とするリモートコントローラを提供する。
【００１２】
この構成において、このリモートコントローラを懐中電灯の代りに利用する場合は、何
れかのキースイッチを押下すると、キーマトリクス回路は、押下されているキースイッチ
に対応するキー信号を出力し、これに応答してタイマは計時動作を行う。このリモートコ
ントローラを懐中電灯の代りに利用する場合は、当該キースイッチを押し続けることによ
り、計時時間が所定時間経過すると、昇圧回路からの昇圧された電圧を白色光発光素子に
印加される。したがって、通常よりも明るく連続して発光し、このリモートコントローラ
を懐中電灯の代りに利用することができる。
【００１３】
この構成によれば、リモートコントローラの発光素子として白色光発光素子を用いたの
で、リモートコントローラから光が出射される様子を確認でき、ユーザにとっては使い勝
手が良くなる。また、キースイッチを所定時間以上押し続けることにより、白色光発光素
子が通常よりも明るく連続して発光するので、このリモートコントローラを懐中電灯の代
りに利用することができ、したがって、自然災害などで停電しても、安全に避難でき、ま
たは、懐中電灯があれば、懐中電灯が置かれている場所まで安全に移動でき、懐中電灯を
使用して避難できる。
【００１４】
請求項３の発明では、請求項２の発明において、前記白色光発光素子の明るさを通常時
よりも上げるため前記電池の電圧を昇圧する昇圧回路と、前記複数のキースイッチの何れ
かが押下され、押下された時間が所定時間経過した時に連続発光駆動信号を出力する連続
発光駆動信号出力手段と、前記連続発光駆動信号が出力されているときは前記連続発光駆
動信号により前記駆動回路を駆動させると共に前記昇圧回路を駆動させて前記昇圧回路か
らの昇圧された電圧を前記白色光発光素子に供給する昇圧電圧供給回路とを備えたので、
キースイッチを所定時間押し続けると、白色光発光素子を通常よりも明るく連続して発光
させることが可能になる。
【００１５】
請求項４の発明では、請求項３の発明において、前記連続発光駆動信号出力手段は、前
記複数のキースイッチの何れかが押下され、押下された当該キースイッチに対応する前記
キーマトリクス回路からの当該キー信号を入力し、当該キー信号が入力されている時間を
計時することによって、当該キースイッチが押下されている間の時間を計時し、計時時間
が所定時間経過した時に連続発光駆動信号を出力するタイマで構成したので、キースイッ
チを所定時間以上押下すると、タイマから連続発光駆動信号を出力させることが可能にな
る。
【００１６】
請求項５の発明では、請求項３の発明において、前記操作信号生成回路からの操作信号
または連続発光駆動信号出力手段からの連続発光駆動信号を入力して前記駆動回路に与え
ると共に、前記連続発光駆動信号が入力されているときは前記操作信号よりも優先的に前
記連続発光駆動信号を前記駆動回路に与える信号切換手段を備えたので、キースイッチを
所定時間以上押下したときは、優先的に、連続発光駆動信号を駆動回路に与えることが可
能になる。
【００１７】
請求項６の発明では、請求項５の発明において、前記信号切換手段は、前記操作信号生
成回路からの操作信号と前記連続発光駆動信号出力手段からの連続発光駆動信号との論理
和をとる論理和回路で構成したので、キースイッチを所定時間以上押下したときは、連続
発光駆動信号を優先的に出力させることができる回路を簡単に実現できる。
【発明の効果】
【００１８】
以上のように本発明によれば、電池により動作し、複数のキースイッチのうち押下され
たキースイッチに対応したキー信号を出力するキーマトリクス回路と、前記キー信号に対
応して操作信号を生成する操作信号生成回路と、前記操作信号に従って発光素子を駆動さ
せる駆動回路とを備え、操作対象の電気機器を前記発光素子からの光信号により遠隔操作
するリモートコントローラにおいて、白色光を発光する白色光発光素子と、前記白色光発
光素子の明るさを通常時よりも上げるため前記電池の電圧を昇圧する昇圧回路と、前記複
数のキースイッチの何れかが押下され、押下された当該キースイッチに対応する前記キー
マトリクス回路からの当該キー信号を入力し、当該キー信号が入力されている時間を計時
することによって、当該キースイッチが押下されている間の時間を計時し、計時時間が所
定時間経過した時に連続発光駆動信号を出力するタイマと、前記操作信号生成回路からの
操作信号または前記タイマからの連続発光駆動信号を入力して前記駆動回路に与えると共
に、前記連続発光駆動信号が入力されているときは前記操作信号よりも優先的に前記連続
発光駆動信号を前記駆動回路に与える論理和回路と、前記タイマから出力された連続発光
駆動信号により前記昇圧回路を駆動させて前記昇圧回路からの昇圧された電圧を前記白色
光発光素子に供給する昇圧電圧供給回路とを備え、前記複数のキースイッチの何れかが所
定時間以上押下されたときに前記白色光発光素子から発光される白色光の明るさを、通常
の操作時の明るさよりも、明るくし、前記所定時間以上押下されている間は、前記白色光
発光素子から白色光を発光し続けるように構成したので、白色光発光素子により、光が出
射される様子を確認でき、ユーザにとっては使い勝手が良くなり、また、キースイッチを
所定時間以上押し続けることにより、白色光発光素子が通常よりも明るく連続して発光す
るので、懐中電灯の代りに利用することができ、したがって、自然災害などで停電しても
、安全に避難でき、または、懐中電灯があれば、懐中電灯が置かれている場所まで安全に
移動でき、懐中電灯を使用して避難できる。また、電池の蓄積電気量が少なくなって白色
光が暗くなって来た場合や、白色光が見えなくなって来た場合は、電池交換する時期が来
たことが分かり、便利になる。
【００１９】
また、本発明によれば、電池により動作し、複数のキースイッチのうち押下されたキー
スイッチに対応したキー信号を出力するキーマトリクス回路と、前記キー信号に対応して
操作信号を生成する操作信号生成回路と、前記操作信号に従って発光素子を駆動させる駆
動回路とを備え、操作対象の電気機器を前記発光素子からの光信号により遠隔操作するリ
モートコントローラにおいて、前記発光素子として白色光を発光する白色光発光素子を用
い、前記複数のキースイッチの何れかが所定時間以上押下されたときに前記白色光発光素
子から出射される白色光の明るさを、通常の操作時の明るさよりも、明るくし、前記所定
時間以上押下されている間は、前記白色光発光素子から白色光を発光し続けるように構成
したので、白色光発光素子により、光が出射される様子を確認でき、ユーザにとっては使
い勝手が良くなり、また、キースイッチを所定時間以上押し続けることにより、白色光発
光素子が通常よりも明るく連続して発光するので、懐中電灯の代りに利用することができ
、したがって、自然災害などで停電しても、安全に避難でき、または、懐中電灯があれば
、懐中電灯が置かれている場所まで安全に移動でき、懐中電灯を使用して避難できる。ま
た、電池の蓄積電気量が少なくなって白色光が暗くなって来た場合や、白色光が見えなく
なって来た場合は、電池交換する時期が来たことが分かり、便利になる。
【発明を実施するための最良の形態】
【００２０】
以下、添付図面を参照しつつ、本発明の実施の形態について説明する。図１は本発明の
一実施形態に係るリモートコントローラの回路構成を示す回路図である。
【００２１】
図１において、このリモートコントローラＡは、例えば、１．５Ｖの電池が３個直列に
接続された電源電池１と、キースイッチ群（複数のキースイッチ）２のうち押下されたキ
ースイッチに対応したキー信号を出力するキーマトリクス回路３と、前記キー信号に対応
して操作信号を生成する操作信号生成回路８と、この操作信号生成回路８に操作信号を生
成するための基準となるクロック信号を発生するクロック発生回路９と、前記操作信号に
従って白色光を発光する白色光発光素子としての白色ＬＥＤ２０を駆動させる駆動回路１
９と、白色光ＬＥＤ２０の明るさを通常時よりも上げるため電源電池１の電圧を所定電圧
に昇圧する昇圧回路４とを備えている。
【００２２】
また、このリモートコントローラＡは、前記複数のキースイッチの何れかが押下され、
押下された当該キースイッチに対応するキーマトリクス回路３からの当該キー信号を、論
理積回路１０を介して入力し、当該キー信号が入力されている時間を計時することによっ
て、当該キースイッチが押下されている間の時間を計時し、計時時間が所定時間経過した
時に連続発光駆動信号を出力するタイマ（連続発光駆動信号出力手段）１１とを備えてい
る。
【００２３】
また、このリモートコントローラＡは、操作信号生成回路８からの操作信号またはタイ
マ１１からの連続発光駆動信号を入力して駆動回路１９に与えると共に、前記連続発光駆
動信号が入力されているときは前記操作信号よりも優先的に前記連続発光駆動信号を駆動
回路１９に与える論理和回路１２と、タイマ１１から出力された連続発光駆動信号により
昇圧回路４を駆動させて昇圧回路４からの昇圧された電圧を白色光ＬＥＤ２０に供給する
昇圧電圧供給回路１８とを備えている。
【００２４】
前記論理積回路１０は、キーマトリクス回路３からのキー信号の何れかがローレベルに
なったときにローレベル信号を出力して、タイマ１１を計時動作させるものである。前記
昇圧電圧供給回路１８は、コレクタが昇圧回路４の出力端に接続され、ベースが抵抗７を
介してタイマ１１の出力端に接続され、エミッタがダイオード５のカソードおよび白色光
ＬＥＤ２０のアノードに接続されたＮＰＮ形のトランジスタ６を有し、タイマ１１からの
連続発光駆動信号によりトランジスタ６がオンされ、これにより昇圧回路４が動作すると
共に、昇圧回路４により昇圧された電圧を白色光ＬＥＤ２０に供給するものである。昇圧
回路４から昇圧された電圧が出力されているときは、白色光ＬＥＤ２０のアノード電圧が
電源電池１の電圧よりも高くなるので、そのアノード電圧による電流が電源電池１へ逆流
しないように、前記ダイオード５が電源電池１の正極と白色光ＬＥＤ２０のアノード間に
接続されている。
【００２５】
なお、この場合の昇圧回路４は、連続発光駆動信号がタイマ１１から出力されたときの
み、動作するようにトランジスタ６のオンに連動して動作する図示しないスイッチ回路を
有し、通常の送信時には、電池の消耗を防ぐため、前記スイッチ回路がオフして、昇圧回
路４が動作しないような回路構成になっている。
【００２６】
前記駆動回路１９は、ＮＰＮ形のトランジスタ１４と、そのベースに一端が接続された
抵抗１３と、そのコレクタに一端が接続された抵抗１７と、そのエミッタと接地間に並列
接続されたコンデンサ１５および抵抗１６とを有する。抵抗１３の他端は論理和回路１２
の出力端に接続され、抵抗１７の他端は白色光ＬＥＤ２０のカソードに接続されている。
【００２７】
図２は本実施形態において例えばテレビジョン受信機のリモートコントローラの簡略化
した構成を示す上面図である。このリモートコントローラＡにおいて、筐体Ｊの前面には
白色光ＬＥＤ２０が設けられ、筐体Ｊの上面には、電源キースイッチＢ、数字１〜１２の
数字キースイッチＣ、カーソルキースイッチＤ，Ｅ，Ｆ，Ｇ、音量キースイッチＨ、決定
キースイッチＩなどが配置されている。
【００２８】
ここで、図１および図２を参照してリモートコントローラＡによりテレビジョン受信機
が操作される場合の動作について説明する。先ず、テレビジョン受信機の電源をオンする
ため、リモートコントローラＡの電源キースイッチＢを押下すると、キーマトリクス回路
３は電源キースイッチＢに対応するキー信号を出力する。そのキー信号を入力した操作信
号生成回路８は、テレビジョン受信機を電源オンさせるための電源オン操作信号を出力し
て論理和回路１２を介して駆動回路１９に与える。
【００２９】
駆動回路１９では、論理和回路１２からの電源オン操作信号が、抵抗１３を介してトラ
ンジスタ１４のベースに与えられ、これにより、トランジスタ１４は、電源オン操作信号
（コード信号）に従ってオン／オフ動作し、白色光ＬＥＤ２０を点滅駆動させる。したが
って、白色光ＬＥＤ２０からは電源オン操作信号に対応する白色光の光信号が出射され、
この光信号を受光したテレビジョン受信機の受光部では、電源をオンさせるように受信機
の制御部に指示し、この制御部からの電源オン信号により、受信機の電源部をオンさせる
。この結果、テレビジョン受信機には電源が入ることになる。
【００３０】
このように、テレビジョン受信機を操作するとき、リモートコントローラＡからは白色
光の光信号が出射されるので、ユーザにとっては、リモートコントローラＡからの光を見
ることができ、操作状態を確認できて便利になり、また、電源電池１の蓄積電気量が少な
くなって白色光が暗くなって来た場合や、白色光が見えなくなって来た場合は、電池交換
する時期が来たことが分かり、便利になる。
【００３１】
次に、このリモートコントローラＡを懐中電灯の代りに利用する場合について説明する
。先ず、リモートコントローラＡの何れかのキースイッチを押下すると、キーマトリクス
回路３は、押下されているキースイッチに対応するキー信号を出力する。このキー信号は
ローレベルであるので、論理積回路１０の入力の何れかがローレベルになり、論理積回路
１０の出力（キー信号）がローレベルになり、これに応答して、タイマ１１は、計時動作
を行う。
【００３２】
このリモートコントローラＡを懐中電灯の代りに利用する場合は、当該キースイッチを
押し続けるので、当該キースイッチを押し続けることにより、タイマ１１による計時時間
が所定時間（例えば３秒）経過すると、タイマ１１からはハイレベルの連続発光駆動信号
が出力される。したがって、昇圧電圧供給回路１８のトランジスタ６はオンされて、昇圧
回路４が駆動されると共に、昇圧回路４からの昇圧された電圧が白色光ＬＥＤ２０のアノ
ードに印加され、また、この時、タイマ１１からのハイレベルの連続発光駆動信号は、論
理和回路１２および抵抗１３を介してトランジスタ１４のベースに与えられることにより
、トランジスタ１４がオンし、これにより、白色光ＬＥＤ２０が駆動して通常よりも明る
く連続して発光し、このリモートコントローラＡを懐中電灯の代りに利用することができ
る。
【００３３】
そして、当該キースイッチの押下を止めると、キーマトリクス回路３の全出力信号はハ
イレベルになるので、論理積回路１０の出力信号もハイレベルになり、これにより、タイ
マ１１は計時動作を停止して、タイマ１１の出力信号はローレベルになる。したがって、
トランジスタ７はオフし、白色光ＬＥＤ２０のアノードには、電源電池１からの電圧が印
加され、通常の状態に戻る。また、トランジスタ７がオフすることによって、昇圧回路４
の動作が停止し、その分、電源電池１の蓄積電気量の消耗を少なくすることができる。
【００３４】
なお、本実施形態では、キースイッチ群２の何れかのキースイッチを押している時、キ
ーマトリクス回路３の出力信号はローレベルになるものとして説明したが、キースイッチ
を押している時、キーマトリクス回路３の出力信号がハイレベルになる場合は、論理和回
路（ＡＮＤゲート）１０の代わりに出力反転論理和回路（ＮＯＲゲート）を接続すれば、
同様な動作が可能になる。また、タイマ１１がローレベル信号を入力したとき計時動作を
行うものを示したが、タイマ１１がハイレベル信号を入力したとき計時動作を行うもので
あれば、論理積回路１０の代わりに出力反転論理積回路（ＮＡＮＤゲート）を接続すれば
、同様な動作が可能になる。
【００３５】
また、論理和回路１２は、タイマ１１から出力される連続発光駆動信号がハイレベルで
あるのに対応して設けたが、タイマ１１から出力される連続発光駆動信号がローレベルで
ある回路構成である場合は、論理和回路１２の代わりに出力反転論理積回路（ＮＡＮＤゲ
ート）を接続すれば、同様な動作が可能になる。したがって、請求項１に記載の論理和回
路は、回路構成により連続発光駆動信号の有効レベルがローレベルであった場合に対応し
て用いられる出力反転論理積回路も結果的に同様な動作を行うので、この出力反転論理積
回路を意味する場合もある。
【００３６】
図３は図１中の昇圧電圧供給回路１８をリレースイッチで実現した場合の回路図である
。図３において、昇圧電圧供給回路１８は、スイッチ２１およびコイル２２を有するリレ
ースイッチ２３と、ＮＰＮ形のトランジスタ２４と、抵抗２５とを備えている。スイッチ
２１の接点２１ａは電源電池１（図１参照）の正極に接続され、その接点２１ｂは昇圧回
路４の出力端に接続されている。また、スイッチ２１の共通接点２１ｃは白色光ＬＥＤ２
０のアノードに接続されている。コイル２２の一端は電源電池１（図１参照）の正極に接
続され、その他端はトランジスタ２４のコレクタに接続されている。トランジスタ２４の
ベースは抵抗２５を介してタイマ１１の出力端に接続され、そのエミッタは接地されてい
る。
【００３７】
この昇圧電圧供給回路１８の動作を説明すると、タイマ１１の出力信号がローレベル（
連続発光駆動信号が出力されていない状態）のときは、トランジスタ２４はオフになって
おり、コイル２２には電流が流れないので、コイル２は磁力を発生せず、共通接点２１ｃ
は接点２１ａと接続され、電源電池１（図１参照）からの電圧が白色光ＬＥＤ２０に駆動
電圧として供給されることになる。この状態のときは通常の送信が可能になる。
【００３８】
次に、このリモートコントローラＡを懐中電灯の代りに利用するため、何れかのキース
イッチを押し続けると、前述したような動作により、タイマ１１からはハイレベルの連続
発光駆動信号が出力される。これにより、トランジスタ２４がオンしてコイル２２に電流
が流れ、共通接点２１ｃが接点２１ｂに接続され、この接続を検知した昇圧回路４は駆動
して、昇圧回路４からの昇圧された電圧が発光色ＬＥＤ２０に印加される。したがって、
発光色ＬＥＤ２０が通常よりも明るく連続して発光し、このリモートコントローラＡを懐
中電灯の代りに利用することができるようになる。
【００３９】
そして、当該キースイッチの押下を止めると、前述した動作により、タイマ１１の出力
信号はローレベルになり、トランジスタ２４はオフする。これにより、コイル２２の電流
は遮断され、共通接点２１ｃは接点２１ａに接続され、電源電池１（図１参照）の電圧が
白色光ＬＥＤ２０に駆動電圧として供給されることになり、通常の送信が可能になる。
【００４０】
以上説明したように本実施形態によれば、白色光ＬＥＤにより、光が出射される様子を
確認でき、ユーザにとっては使い勝手が良くなる。また、キースイッチを所定時間以上押
し続けることにより、白色光ＬＥＤが通常よりも明るく連続して発光するので、懐中電灯
の代りに利用することができ、したがって、自然災害などで停電しても、安全に避難でき
、または、懐中電灯があれば、懐中電灯が置かれている場所まで安全に移動でき、懐中電
灯を使用して避難できる。また、電源電池の蓄積電気量が少なくなって白色光が暗くなっ
て来た場合や、白色光が見えなくなって来た場合は、電池交換する時期が来たことが分か
り、便利になる。
【図面の簡単な説明】
【００４１】
【図１】本発明の一実施形態に係るリモートコントローラの回路構成を示す回路図である。
【図２】前記実施形態において例えばテレビジョン受信機のリモートコントローラの簡略化した構成を示す上面図である。
【図３】図１中の昇圧電圧供給回路をリレースイッチで実現した場合の回路図である。
【符号の説明】
【００４２】
Ａ    リモートコントローラ
１    電源電池
２    キースイッチ群（複数のキースイッチ）
３    キーマトリクス回路
４    昇圧回路
８    操作子生成回路
１１    タイマ（連続発光駆動信号出力手段）
１２    論理和回路（信号切換手段）
１８    昇圧電圧供給回路
１９    駆動回路
２０    白色光ＬＥＤ（白色光発光素子）
【図１】
2006319840.tif 000003
【図２】
2006319840.tif 000004
【図３】
2006319840.tif 000005